(57)【要約】【課題】  外観上は通常のトランクスと相違のない、通気性が良く、簡易型でありながら十分な吸水量が確保することができる失禁用トランクスを提供する。【解決手段】  裾が膝下あたりまであるロングタイプの綿製のトランクス本体部５と、装着時にウエスト付近で止めるためのゴムを内蔵したウエスト部２と、排尿するための前開き部４と、トランクス本体部５の内面の前側から膝あたりまでの内腿付近の広い面積にわたって縫い付けられ、失禁液を吸収、保水し、防臭、抗菌を行うための薄い簡易型の吸水パッド部３を備える。【選択図】  図１
0003113189.tif 000002
【実用新案登録請求の範囲】
【請求項１】
トランクス本体部の内面において、少なくとも前側から内腿付近まで設けられた吸水パッド部を備えることを特徴とする失禁用トランクス。
【請求項２】
前記トランクス本体部の裾が少なくとも膝付近まであるロングタイプである
ことを特徴とする請求項１記載の失禁用トランクス。
【請求項３】
前記トランクス本体部及び前記吸水パッド部は排尿するための前開き部を備える
ことを特徴とする請求項１又は２記載の失禁用トランクス。
【請求項４】
前記吸水パッド部の厚さは１ｍｍ以下である
ことを特徴とする請求項１〜３のいずれか１項に記載の失禁用トランクス。
【請求項５】
前記吸水パッド部の面積は５００〜１５００ｃｍ2の範囲内である
ことを特徴とする請求項１〜４のいずれか１項に記載の失禁用トランクス。
【請求項６】
前記トランクス本体部は綿製であり、
装着時にウエスト付近で止めるためのゴムを内蔵したウエスト部を備える
ことを特徴とする請求項１〜５のいずれか１項に記載の失禁用トランクス。
【考案の詳細な説明】
【技術分野】
【０００１】
本考案は、男性用の下着や普段着として着用する失禁用のトランクス型衣類に関する。
【背景技術】
【０００２】
トランクスはブリーフに比べて一般に通気性が良いために男性の下着又は普段着として、特に春から梅雨時、夏、秋にかけて着用されている。冬に失禁用ブリーフを着用している人々にとって、通気性が良い失禁用のトランクスが要望されている。なお、本願において、トランクスとは、ブリーフと異なり、股下部分に左右の脚を通す筒状部分が形成された下着を指している。
【０００３】
従来、失禁用トランクスとして、排尿するための前開き開口部が形成されたトランクスの内面側の股部分に、ドライ層、保水層及び防水層が積層状に形成された吸水パッドを設けると共に、吸水パッドの表面に通気性のメッシュ層を設け、トランクスを洗濯して干したときには外部から吸水パッドが見えないようにしている（例えば、特許文献１参照。）。
【特許文献１】登録実用新案第３０７３９３３号
【考案の開示】
【考案が解決しようとする課題】
【０００４】
しかし、従来の失禁用トランクスは、少ない面積で十分な吸水量を確保するために、性能の高い吸水パッドを使用したり、吸水パッドの層を厚くしたりする必要があるという問題がある。
【０００５】
また、性能の高さを求め過ぎると吸水パッドの構造が複雑となるため、価格的に高価になることも問題であり、その理由により一般に普及するまでには至っていない。
【０００６】
そこで、本考案は、外観上は通常のトランクスと相違のない、簡易型でありながら十分な吸水量が確保することができる通気性の良い失禁用トランクスを提供することを目的とする。
【課題を解決するための手段】
【０００７】
上記の目的を達成するため、本考案に係る失禁用トランクスは、トランクス本体部の内面において、少なくとも前側から内腿付近まで設けられた吸水パッド部を備えることを特徴とする。
【０００８】
さらに、前記トランクス本体部の裾が少なくとも膝付近まであるロングタイプであることを特徴とする。
【０００９】
さらに、前記トランクス本体部及び前記吸水パッド部は排尿するための前開き部を備える
ことを特徴とする。
【００１０】
さらに、前記吸水パッド部の厚さは１ｍｍ以下であることを特徴とする。
【００１１】
さらに、前記吸水パッド部の面積は５００〜１５００ｃｍ2の範囲内であることを特徴とする。
【００１２】
さらに、前記トランクス本体部は綿製であり、装着時にウエスト付近で止めるためのゴムを内蔵したウエスト部を備えることを特徴とする。
【考案の効果】
【００１３】
本考案に係る失禁用トランクスによれば、十分に広い面積にわたって吸水パッド部をトランクス本体部の内面に設けているため、吸水パッド部が薄く簡易型であっても、外観上は通常のトランクスと相違がなく、通気性が良く、特にロングタイプの失禁用トランクスにおいて、簡易型でありながら十分な吸水量を確保することができる。そのため、装着者にとって暑苦しさや違和感がなく快適に装着できる。
【００１４】
また、構造が簡単であるため、製造するためのコストが低価格ですみ、さらに何回でも洗濯することができるため、経済性に顕著に優れている。また、本失禁用トランクスを洗濯して干したときには外部から吸水パッドが見えないので、人目を気にする必要も全くない。
【考案を実施するための最良の形態】
【００１５】
以下では、本考案を実施するための最良の形態について図面を参照しながら説明を行う。
【実施例１】
【００１６】
図１は、本考案の実施例１に係る失禁用トランクスの斜視図である。図２は、本考案の実施例１に係る失禁用トランクスの前部分の内側の平面図である。図３は、本考案の実施例１に係る失禁用トランクスの前部分の断面図である。
【００１７】
本考案の実施例１に係る失禁用トランクス１は、裾が膝下あたりまであるロングタイプの綿製のトランクス本体部５と、装着時にウエスト付近で止めるためのゴムを内蔵したウエスト部２と、排尿するための前開き部４と、トランクス本体部５の内面の前側から膝あたりまでの内腿付近にわたって縫い付けられ、失禁液を吸収、保水し、防臭、抗菌を行うための簡易型の吸水パッド部３を備える。
【００１８】
従来、吸水パッド部をトランクス本体部５の内面の前側や股部にしか設けていなかった失禁用トランクスと比べ、本失禁用トランクス１は内腿や膝付近にまで吸水パッド部３を設けているので、失禁液の量が多い場合に前側で吸水しきれなかった失禁液を十分に吸水することができる。
【００１９】
このように、本考案に係るロングタイプの失禁用トランクス１によれば、トランクス本体部５の内面の前側から膝あたりまでの内腿付近という十分に広い面積にわたって薄い簡易型の吸水パッド部３をトランクス本体部５の内面に設けているため、簡易型でありながら十分な吸水量が確保される。吸水パッド部の縦と横の長さは約（３０＋数）ｃｍであり、面積は約１０００ｃｍ2である。なお、５００〜１５００ｃｍ2の範囲内が好適である。
【００２０】
また、本失禁用トランクス１は、内面に設けられる吸水パッド部３の厚さは１ｍｍ以下という薄さであるので外観上分厚くなく、装着時にも通常のトランクスと相違がなく、通気性に優れる。吸水パッド部３に一旦吸収された失禁液がトランクス本体部５を濡らすことや、装着者の方へ逆戻りすることや、失禁用トランクス１の下方に漏れ落ちることを防止する。
【００２１】
吸水パッド部３は、薄くて肌触りがよいため装着者にとって暑苦しさや違和感がないので、特に春から梅雨時、夏、秋にかけて快適に装着できる。
【００２２】
また、前開き部４においては、トランクス本体部５及び吸水パッド部３がともに開口部を有するため、装着者は通常のトランクスの場合と同様に容易に排尿動作が行える。
【実施例２】
【００２３】
図４は、本考案の実施例２に係る失禁用トランクスの斜視図である。
【００２４】
本考案の実施例２に係る失禁用トランクス１１は、裾が股下あたりまでのショートタイプの綿製のトランクス本体部１５と、装着時にウエスト付近で止めるためのゴムを内蔵したウエスト部１２と、排尿するための前開き部１４と、トランクス本体部１５の内面の前側から股下付近にわたって縫い付けられ、失禁液を吸収、保水し、防臭、抗菌を行うための簡易型の吸水パッド部１３を備える。
【００２５】
この構造により、本失禁用トランクス１１は、上記の実施例１に係る失禁用のロングトランクス１と比べて吸水パッド部１３の総面積が少ないので、失禁液の吸水量は落ちるが、軽度の尿失禁に対して十分な吸水量を保つことができる。また、ショートタイプのため実施例１に係る失禁用のロングトランクス１と比べてさらに通気性に優れる。
【００２６】
なお、本考案に係る失禁用トランクス１、１１は、使用している吸水パッド部３、１３が簡易型であり、かつ、全体構造が簡単であるため、製造するためのコストが低価格ですみ、さらに何回でも洗濯することができるため、経済性に顕著に優れている。また、本失禁用トランクス１、１１を洗濯して干したときには外部から吸水パッド部３、１３が見えないので、人目を気にする必要も全くない。
【００２７】
また、吸水パッド部３、１３を、さらにトランクス本体部５、１５の内面の後ろ部分や横部分にも広げて設けるような構造であってももちろんよい。また、トランクス本体部５、１５の裾及び吸水パッド部３、１３が足首付近にまで伸びるような長い構造であってもよい。
【００２８】
また、失禁用トランクス１、１１の製造上の工程の簡略化等のため、例えば前開き部４、１４の付近には吸水パッド部３、１３を設けない構造であってもよい。
【産業上の利用可能性】
【００２９】
本考案は、男性用の失禁用トランクス等に適用できる。
【図面の簡単な説明】
【００３０】
【図１】本考案の実施例１に係る失禁用トランクスの斜視図である。
【図２】本考案の実施例１に係る失禁用トランクスの前部分の内側の平面図である。
【図３】本考案の実施例１に係る失禁用トランクスの前部分の断面図である。
【図４】本考案の実施例２に係る失禁用トランクスの斜視図である。
【符号の説明】
【００３１】
１、１１  失禁用トランクス
２、１２  ウエスト部
３、１３  吸水パッド部
４、１４  前開き部
５、１５  トランクス本体部
【図１】
0003113189.tif 000003
【図２】
0003113189.tif 000004
【図３】
0003113189.tif 000005
【図４】
0003113189.tif 000006